(57)【特許請求の範囲】
【請求項１】
固定枠に対し一側部にて開閉可能に支持された遊技機本体と、
前記遊技機本体の前面側において、当該遊技機本体に対し前記一側部にて開閉可能に支持された前扉体と、
前記遊技機本体の背面側において、当該遊技機本体に対し前記一側部にて開閉可能に支持された後扉体とを備えた遊技機であって、
前記遊技機本体の他側部において設けられるとともに、
鍵により操作される作動部を有した錠部材と、
前記作動部に設けられた係合部材と、
前記作動部の係合部材と係合可能な被係合部が設けられると共に、前記固定枠に設けられた被係合部に対し係脱可能な遊技機本体用係合部が相対変位不能に設けられ、前記遊技機本体用係合部が前記固定枠の被係合部に係合されて前記遊技機本体の開放を規制する施錠位置から、前記遊技機本体用係合部が前記固定枠の被係合部から離脱して前記遊技機本体の開放を許容する解錠位置へ、前記鍵の第１の操作に応じた前記錠部材の作動部の動作に連動して摺動変位する第１の摺動部材と、
前記作動部の係合部材と係合可能な被係合部が設けられると共に、前記前扉体に設けられた被係合部に対し係脱可能な前扉体用係合部が相対変位不能に設けられ、前記前扉体用係合部が前記前扉体の被係合部に係合されて前記前扉体の開放を規制する施錠位置から、前記前扉体用係合部が前記前扉体の被係合部から離脱して前記前扉体の開放を許容する解錠位置へ、前記鍵の第２の操作に応じた前記錠部材の作動部の動作に連動して摺動変位する第２の摺動部材と、
前記作動部の係合部材と係合可能な被係合部が設けられると共に、前記後扉体に設けられた被係合部に対し係脱可能な後扉体用係合部が相対変位不能に設けられ、前記後扉体用係合部が前記後扉体の被係合部に係合されて前記後扉体の開放を規制する施錠位置から、前記後扉体用係合部が前記後扉体の被係合部から離脱して前記後扉体の開放を許容する解錠位置へ、前記鍵の第３の操作に応じた前記錠部材の作動部の動作に連動して摺動変位する第３の摺動部材とを具備した施錠装置を備え、
前記錠部材は、
前記鍵の挿入がない場合には、前記作動部が操作不能状態となり、前記鍵が挿入された場合には、前記作動部の操作不能状態が解除され、当該作動部が操作可能となる構成であって、
前記作動部の操作不能状態にあっては、前記係合部材が変位不能となり、当該係合部材により前記第１の摺動部材、前記第２の摺動部材及び前記第３の摺動部材の摺動変位が規制され、前記遊技機本体用係合部、前記前扉体用係合部及び前記後扉体用係合部がそれぞれ前記各被係合部に係合された状態に維持される構成であって、
前記遊技機本体用係合部は、
前記遊技機本体の開状態において、当該遊技機本体用係合部を前記施錠位置とした場合において、前記固定枠の被係合部と相対向する側となるその先端側に、前記遊技機本体の開閉方向と直交する直交方向に沿って直線状に形成された先端側縦縁部を有し、
前記遊技機本体の開状態において前記遊技機本体用係合部を前記施錠位置とした状態で、前記鍵を前記錠部材へ挿入せず前記遊技機本体を前記固定枠に対し閉鎖していき、前記遊技機本体用係合部が前記固定枠の被係合部に接触した場合でも、前記第１の摺動部材が摺動変位しないように構成し、
前記前扉体用係合部は、
前記前扉体の開状態において、当該前扉体用係合部を前記施錠位置とした場合において、前記前扉体の被係合部と相対向する側となるその先端側に、前記前扉体の開閉方向と直交する直交方向に沿って直線状に形成された先端側縦縁部を有し、
前記前扉体の開状態において前記前扉体用係合部を前記施錠位置とした状態で、前記鍵を前記錠部材へ挿入せず前記前扉体を前記遊技機本体に対し閉鎖していき、前記前扉体用係合部が前記前扉体の被係合部に接触した場合でも、前記第２の摺動部材が摺動変位しないように構成し、
前記後扉体用係合部は、
前記後扉体の開状態において、当該後扉体用係合部を前記施錠位置とした場合において、前記後扉体の被係合部と相対向する側となるその先端側に、前記後扉体の開閉方向と直交する直交方向に沿って直線状に形成された先端側縦縁部を有し、
前記後扉体の開状態において前記後扉体用係合部を前記施錠位置とした状態で、前記鍵を前記錠部材へ挿入せず前記後扉体を前記遊技機本体に対し閉鎖していき、前記後扉体用係合部が前記後扉体の被係合部に接触した場合でも、前記第３の摺動部材が摺動変位しないように構成したことを特徴とする遊技機。
【発明の詳細な説明】
【技術分野】
【０００１】
本発明は、パチンコ機等の遊技機に関するものである。
【背景技術】
【０００２】
一般にパチンコ機等の遊技機では、メンテナンス等の観点から遊技機本体（内枠）が固定枠（外枠）に対し開閉可能に設けられている。そのため、店員以外の者が無断で遊技機本体を開放できないように、遊技機には施錠装置が設けられている。かかる施錠装置としては、専用の鍵を用いて操作されるシリンダ錠と、固定枠に設けられた複数の被係止部に対しそれぞれ係脱可能に設けられた複数の鉤部材と、鍵によるシリンダ錠の解錠操作に応じて複数の鉤部材を連動させる摺動杆とを備えたものが知られている。そして、施錠状態では各鉤部材がそれぞれ対応する被係止部に係合することで遊技機本体が固定枠に対し開放不能となる。他方、専用の鍵でシリンダ錠を解錠操作することにより摺動杆を介して各鉤部材が被係止部から同時に離脱し、遊技機本体が開放可能となる。
【０００３】
近年、遊技ホールでは、営業中に遊技機本体を不正に解錠し、本体裏側に設けられた制御機器を不正に操作したり交換する等して、多くの遊技媒体を獲得する不正行為が行われている。このような不正解錠は、通常、遊技機本体と固定枠との隙間から針金等の線材を差込み、当該線材を施錠装置の鉤部材に引っ掛けて解錠方向に動かすことにより行われる。いずれか１つの鉤部材に対して不正な解錠操作が行われると、その動作が摺動杆を介して他の鉤部材に伝達され、全鉤部材が連動して被係止部から離脱し、遊技機本体が開放可能となる。
【０００４】
これに対し、複数の鉤部材を個々に独立して摺動杆に対し相対変位可能に設けておくことにより、いずれか１つの鉤部材に対して不正な解錠操作が行われた場合に、当該不正解錠操作に応じた鉤部材の動作が、不正解錠操作されていない他の鉤部材に伝達されるのを防止しているものもある（例えば特許文献１参照）。
【先行技術文献】
【特許文献】
【０００５】
【特許文献１】特開２００４−２４３３７号公報
【発明の概要】
【発明が解決しようとする課題】
【０００６】
しかしながら、上記従来技術では、複数の鉤部材に対して同時に不正な解錠操作がなされると、解錠されてしまうおそれがあった。
【０００７】
なお、上記課題は、遊技機本体と外枠とを施錠する施錠機構に限定されるものではなく、例えば遊技機本体と当該遊技機本体に対し開閉可能に設けられた開閉部材とを施錠する施錠機構などにも該当する問題であるとともに、ひいては、パチンコ機に限らず、スロットマシン等の他の遊技機にも該当する問題である。
【０００８】
本発明は、上記例示した課題等を解決するためになされたものであり、その目的は、線材等を用いた不正解錠に対する防御性能に優れた遊技機を提供することにある。
【課題を解決するための手段】
【０００９】
本発明に係る遊技機は、
固定枠に対し一側部にて開閉可能に支持された遊技機本体と、
前記遊技機本体の前面側において、当該遊技機本体に対し前記一側部にて開閉可能に支持された前扉体と、
前記遊技機本体の背面側において、当該遊技機本体に対し前記一側部にて開閉可能に支持された後扉体とを備えた遊技機であって、
前記遊技機本体の他側部において設けられるとともに、
鍵により操作される作動部を有した錠部材と、
前記作動部に設けられた係合部材と、
前記作動部の係合部材と係合可能な被係合部が設けられると共に、前記固定枠に設けられた被係合部に対し係脱可能な遊技機本体用係合部が相対変位不能に設けられ、前記遊技機本体用係合部が前記固定枠の被係合部に係合されて前記遊技機本体の開放を規制する施錠位置から、前記遊技機本体用係合部が前記固定枠の被係合部から離脱して前記遊技機本体の開放を許容する解錠位置へ、前記鍵の第１の操作に応じた前記錠部材の作動部の動作に連動して摺動変位する第１の摺動部材と、
前記作動部の係合部材と係合可能な被係合部が設けられると共に、前記前扉体に設けられた被係合部に対し係脱可能な前扉体用係合部が相対変位不能に設けられ、前記前扉体用係合部が前記前扉体の被係合部に係合されて前記前扉体の開放を規制する施錠位置から、前記前扉体用係合部が前記前扉体の被係合部から離脱して前記前扉体の開放を許容する解錠位置へ、前記鍵の第２の操作に応じた前記錠部材の作動部の動作に連動して摺動変位する第２の摺動部材と、
前記作動部の係合部材と係合可能な被係合部が設けられると共に、前記後扉体に設けられた被係合部に対し係脱可能な後扉体用係合部が相対変位不能に設けられ、前記後扉体用係合部が前記後扉体の被係合部に係合されて前記後扉体の開放を規制する施錠位置から、前記後扉体用係合部が前記後扉体の被係合部から離脱して前記後扉体の開放を許容する解錠位置へ、前記鍵の第３の操作に応じた前記錠部材の作動部の動作に連動して摺動変位する第３の摺動部材とを具備した施錠装置を備え、
前記錠部材は、
前記鍵の挿入がない場合には、前記作動部が操作不能状態となり、前記鍵が挿入された場合には、前記作動部の操作不能状態が解除され、当該作動部が操作可能となる構成であって、
前記作動部の操作不能状態にあっては、前記係合部材が変位不能となり、当該係合部材により前記第１の摺動部材、前記第２の摺動部材及び前記第３の摺動部材の摺動変位が規制され、前記遊技機本体用係合部、前記前扉体用係合部及び前記後扉体用係合部がそれぞれ前記各被係合部に係合された状態に維持される構成であって、
前記遊技機本体用係合部は、
前記遊技機本体の開状態において、当該遊技機本体用係合部を前記施錠位置とした場合において、前記固定枠の被係合部と相対向する側となるその先端側に、前記遊技機本体の開閉方向と直交する直交方向に沿って直線状に形成された先端側縦縁部を有し、
前記遊技機本体の開状態において前記遊技機本体用係合部を前記施錠位置とした状態で、前記鍵を前記錠部材へ挿入せず前記遊技機本体を前記固定枠に対し閉鎖していき、前記遊技機本体用係合部が前記固定枠の被係合部に接触した場合でも、前記第１の摺動部材が摺動変位しないように構成し、
前記前扉体用係合部は、
前記前扉体の開状態において、当該前扉体用係合部を前記施錠位置とした場合において、前記前扉体の被係合部と相対向する側となるその先端側に、前記前扉体の開閉方向と直交する直交方向に沿って直線状に形成された先端側縦縁部を有し、
前記前扉体の開状態において前記前扉体用係合部を前記施錠位置とした状態で、前記鍵を前記錠部材へ挿入せず前記前扉体を前記遊技機本体に対し閉鎖していき、前記前扉体用係合部が前記前扉体の被係合部に接触した場合でも、前記第２の摺動部材が摺動変位しないように構成し、
前記後扉体用係合部は、
前記後扉体の開状態において、当該後扉体用係合部を前記施錠位置とした場合において、前記後扉体の被係合部と相対向する側となるその先端側に、前記後扉体の開閉方向と直交する直交方向に沿って直線状に形成された先端側縦縁部を有し、
前記後扉体の開状態において前記後扉体用係合部を前記施錠位置とした状態で、前記鍵を前記錠部材へ挿入せず前記後扉体を前記遊技機本体に対し閉鎖していき、前記後扉体用係合部が前記後扉体の被係合部に接触した場合でも、前記第３の摺動部材が摺動変位しないように構成したことをその要旨としている。
【発明の効果】
【００１０】
本発明の遊技機によれば、線材等を用いた不正解錠に対する防御性能に優れた遊技機を提供することができる。
【図面の簡単な説明】
【００１１】
【図１】一実施形態におけるパチンコ機を示す正面図である。
【図２】パチンコ機の斜視図である。
【図３】パチンコ機の右側面図である。
【図４】内枠及び前面枠セットを開放した状態を示す斜視図である。
【図５】外枠の構成を示す斜視図である。
【図６】内枠及び遊技盤の構成を示す正面図である。
【図７】内枠の構成を示す背面図である。
【図８】パチンコ機の構成を示す背面図である。
【図９】電気的構成を示すブロック図である。
【図１０】施錠装置の背面図である。
【図１１】施錠装置の右側面図である。
【図１２】施錠装置の左側面図である。
【図１３】施錠装置の正面図である。
【図１４】背面側から見た施錠装置の分解図である。
【図１５】側面側から見た施錠装置の分解図である。
【図１６】鍵の非挿入時におけるシリンダ錠を示す断面図である。
【図１７】鍵の挿入時におけるシリンダ錠を示す断面図である。
【図１８】（ａ）〜（ｃ）はカム板等の作用を説明するための図である。
【発明を実施するための形態】
【００１２】
以下、上記課題等を解決するのに適した各手段を項分けして説明する。なお、必要に応じて対応する手段に特有の作用効果等を付記する。
【００１３】
手段１．固定枠に対し左右一側部にて開閉可能に支持された扉体と、
前記固定枠に対し左右他側部にて前記扉体を施錠する施錠装置とを備えた遊技機であって、
前記施錠装置は、
鍵により操作される作動部が前記鍵の非挿入状態では変位不能となる錠部材と、
前記錠部材の作動部の動作に連動して摺動可能な摺動部、及び、当該摺動部に対し相対変位不能に設けられた鉤部を有し、前記鉤部が所定の被係止部に対し係止されて前記扉体の開放を規制する係止位置と、前記鉤部が前記被係止部から離脱して前記扉体の開放を許容する非係止位置とに摺動変位する施錠部材とを備え、
前記錠部材に鍵の挿入がない場合には、前記錠部材の作動部により前記施錠部材の摺動変位が規制されることを特徴する遊技機。
【００１４】
上記手段１によれば、鉤部が摺動部に対し相対変位不能に設けられるとともに、錠部材に鍵が挿し込まれないと、錠部材のロック状態が解除されず、錠部材の作動部に係合した摺動部（施錠部材）が摺動できない構成となっている。従って、鍵を用いて解錠操作を行った場合には、その操作に応じ施錠部材が動作して鉤部が被係止部から離脱し、扉体の開放が許容される。一方、鍵を用いずに線材等によって鉤部や摺動部に対し直接の解錠操作、すなわち不正な解錠操作が行われた場合には、錠部材の作動部が動かないため、施錠部材の解錠方向への摺動変位が規制される。これにより、鉤部（施錠部材）は係止位置に維持されるため、扉体の開放は許容されない。結果として、線材等を用いた不正解錠に対する防御性能の向上が図られる。
【００１５】
なお、以下の手段においても同様であるが、鉤部及びこれに対応する被係止部の数は１つに限定されるものではなく、これらを複数備えた構成としてもよい。また、鉤部が「摺動部に対し相対変位不能に設けられ」ている構成例としては、鉤部が摺動部と一体形成された構成や、鉤部がネジ等の固定手段により摺動部に対し相対変位不能に固定された構成などが挙げられる。また、錠部材の例としては、鍵が挿入されて回動操作されるシリンダ錠などが挙げられる。この場合、作動部は、回動可能に設けられた錠軸や、当該錠軸に固定された係合片（カム板）等から構成されることとなる。また、被係止部は、固定枠又は扉体のうち、施錠装置が設けられた側とは反対側に設けられる。
【００１６】
手段２．前記作動部は、少なくとも１つの係合片を有し、
前記摺動部は、前記係合片と係合可能な少なくとも１つの係合孔部を有し、
前記錠部材に鍵の挿入がない状態では、前記作動部が基準位置をとり、前記係合片が前記係合孔部内に挿通された状態となることを特徴とする手段１に記載の遊技機。
【００１７】
上記手段２によれば、施錠部材に対し不正な解錠操作が行われた場合には、摺動部の係合孔部周縁が作動部の係合片に当接して、施錠部材の解錠方向への摺動変位が規制されることとなる。
【００１８】
手段３．固定枠に対し左右一側部にて開閉可能に支持される遊技機本体と、
前記遊技機本体の背面側又は前面側において、当該遊技機本体に対し前記左右一側部にて開閉可能に支持された扉体とを備えるとともに、
前記固定枠に対し左右他側部にて前記遊技機本体を施錠する機構と、前記遊技機本体に対し前記左右他側部にて前記扉体を施錠する機構とを具備した施錠装置を備えた遊技機であって、
前記施錠装置は、
前記遊技機本体の前記左右他側部に沿って設けられるとともに、
鍵により操作される作動部が前記鍵の非挿入状態では変位不能となる錠部材と、
上下方向に摺動可能な第１摺動部、及び、当該第１摺動部に対し相対変位不能に設けられた第１鉤部を有し、前記鍵の第１の操作に応じた前記錠部材の作動部の動作に連動して、前記第１鉤部が前記固定枠側に設けられた第１被係止部に対し係止されて前記遊技機本体の開放を規制する係止位置から、前記第１鉤部が前記第１被係止部から離脱して前記遊技機本体の開放を許容する非係止位置へ上下方向一方に摺動変位する第１施錠部材と、
上下方向に摺動可能な第２摺動部、及び、当該第２摺動部に対し相対変位不能に設けられた第２鉤部を有し、前記鍵の第２の操作に応じた前記錠部材の作動部の動作に連動して、前記第２鉤部が前記扉体側に設けられた第２被係止部に対し係止されて前記扉体の開放を規制する係止位置から、前記第２鉤部が前記第２被係止部から離脱して前記扉体の開放を許容する非係止位置へ上下方向他方に摺動変位する第２施錠部材とを備え、
前記錠部材に鍵の挿入がない場合には、前記錠部材の作動部により前記第１施錠部材及び前記第２施錠部材の摺動変位が規制されることを特徴する遊技機。
【００１９】
上記手段３によれば、上記手段１と同様の作用効果が奏される。さらに、本手段では、１つの錠部材に対し鍵を挿し込み、それぞれ異なる操作を行うことで、遊技機本体及び扉体の両者の解錠操作を行うことができる。つまり、１つの鍵によって遊技機本体及び扉体の両者の解錠操作を行うことができるため、複数の鍵を使い分けるといった面倒もなく、メンテナンス時等における作業性の向上などの利便性の向上を図ることができる。また、固定枠に対し遊技機本体を施錠する機構と、遊技機本体に対し扉体を施錠する機構とを１つの施錠装置に一体化しているため、部品点数の増加を抑制することができる。なお、第１及び第２の操作としては、例えばシリンダ錠等における一方への回動操作及び他方への回動操作が挙げられる。
【００２０】
また、遊技機本体の背面側において制御機器等を覆うように後扉体が配置される構成では、遊技機本体を不正に開放された場合でも、上記施錠機構を備えることにより制御機器等に対する不正行為を行うことは困難となる。
【００２１】
なお、仮に１つの摺動部材を共用しつつ、遊技機本体の解錠及び扉体の解錠を別々に行う構成とするためには、摺動部材に対して鉤部材を相対変位可能に係合する構成を採用せざるを得ない。この場合、鉤部材を摺動部材に対して相対変位可能としつつも、鍵を用いない線材等による不正な解錠操作（鉤部材に対する直接の解錠操作）によっては、鉤部材が非係止位置へ動かないようにするといった複雑な構成が必要とされる。これに対し、本手段では、２つの摺動部材（施錠部材）を利用して、遊技機本体の解錠及び扉体の解錠を別々に行う構成としているため、鉤部材（鉤部）を摺動部材（摺動部）に対し相対変位不能に設けることができ、上述したような複雑な構成を採用しなくとも、比較的簡単な構成で上記不正行為を防止することができる。
【００２２】
手段４．固定枠に対し左右一側部にて開閉可能に支持された遊技機本体と、
前記遊技機本体の前面側において、当該遊技機本体に対し前記左右一側部にて開閉可能に支持された前扉体と、
前記遊技機本体の背面側において、当該遊技機本体に対し前記左右一側部にて開閉可能に支持された後扉体とを備えた遊技機であって、
前記固定枠に対し左右他側部にて前記遊技機本体を施錠する機構と、前記遊技機本体に対し前記左右他側部にて前記前扉体を施錠する機構と、前記遊技機本体に対し前記左右他側部にて前記後扉体を施錠する機構とを具備した施錠装置を備え、
前記施錠装置は、
前記遊技機本体の前記左右他側部に沿って設けられるとともに、
鍵により操作される作動部が前記鍵の非挿入状態では変位不能となる錠部材と、
上下方向に摺動可能な第１摺動部、及び、当該第１摺動部に対し相対変位不能に設けられた第１鉤部を有し、前記鍵の第１の操作に応じた前記錠部材の作動部の動作に連動して、前記第１鉤部が前記固定枠側に設けられた第１被係止部に対し係止されて前記遊技機本体の開放を規制する係止位置から、前記第１鉤部が前記第１被係止部から離脱して前記遊技機本体の開放を許容する非係止位置へ上下方向一方に摺動変位する第１施錠部材と、
上下方向に摺動可能な第２摺動部、及び、当該第２摺動部に対し相対変位不能に設けられた第２鉤部及び第３鉤部を有し、前記鍵の第２の操作に応じた前記錠部材の作動部の動作に連動して、前記第２鉤部が前記前扉体側に設けられた第２被係止部に対し係止されて前記前扉体の開放を規制しかつ前記第３鉤部が前記後扉体側に設けられた第３被係止部に係止されて前記後扉体の開放を規制する係止位置から、前記第２鉤部及び前記第３鉤部が前記第２被係止部及び前記第３被係止部から離脱して前記前扉体及び前記後扉体の開放を許容する非係止位置へ、上下方向他方に摺動変位する第２施錠部材とを備え、
前記錠部材に鍵の挿入がない場合には、前記錠部材の作動部により前記第１施錠部材及び前記第２施錠部材の摺動変位が規制されることを特徴する遊技機。
【００２３】
上記手段４によれば、上記手段３と同様の作用効果が奏される。さらに、本手段では、１つの施錠装置により遊技機本体、後扉体及び前扉体の三者の施錠及び解錠操作を行うことができるようになるため、さらなる利便性の向上や部品点数の増加抑制等を図ることができる。また、第２の操作といった同一操作により、後扉体及び前扉体の両者を解錠することができるため、操作手順が複雑化せず、不慣れな遊技ホール関係者であっても、より確実に各操作を行うことができる。
【００２４】
手段５．前記第１施錠部材及び前記第２施錠部材は、前記第１摺動部及び前記第２摺動部が重畳するよう配置され、
前記作動部は、第１係合片及び第２係合片を有し、
前記第１摺動部及び前記第２摺動部は、前記第１係合片と係合可能な第１係合孔部、及び、前記第２係合片と係合可能な第２係合孔部をそれぞれ有し、
前記錠部材に鍵の挿入がない状態では、前記作動部が基準位置をとり、前記第１係合片が前記第１摺動部又は前記第２摺動部の一方の前記第１係合孔部に挿通されるとともに、当該第１係合孔部を介して他方の前記第１係合孔部内に挿通された状態となり、かつ、前記第２係合片が前記第１摺動部又は前記第２摺動部の一方の前記第２係合孔部に挿通されるとともに、当該第２係合孔部を介して他方の前記第２係合孔部内に挿通された状態となり、
前記鍵によって前記第１の操作がなされた場合には、前記第２係合片が前記第１摺動部及び前記第２摺動部の両第２係合孔部内から離脱するとともに、前記第１係合片が前記第１施錠部材を前記上下方向一方へ摺動変位させ、
前記鍵によって前記第２の操作がなされた場合には、前記第１係合片が前記第１摺動部及び前記第２摺動部の両第１係合孔部内から離脱するとともに、前記第２係合片が前記第２施錠部材を前記上下方向他方へ摺動変位させることを特徴とする手段３又は４に記載の遊技機。
【００２５】
上記手段５によれば、第１施錠部材及び第２施錠部材を重畳配置することにより、２つの施錠部材を利用しつつも、施錠装置の構成を簡素化し、よりコンパクトにすることができる。
【００２６】
以下に、上記各手段が適用される各種遊技機の基本構成を示す。
【００２７】
Ａ．上記各手段における前記遊技機は弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内される遊技領域と、前記遊技領域内に配置された各入球手段（一般入賞口、可変入賞装置、作動口等）とを備えた弾球遊技機」が挙げられる。
【００２８】
Ｂ．上記各手段における前記遊技機は略鉛直方向に延びる遊技領域を備えた弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内され、略鉛直方向に沿って延びる所定の遊技領域（例えば遊技領域は遊技盤面等により構成される）と、前記遊技領域内に配置された各入球手段（一般入賞口、可変入賞装置、作動口等）とを備え、前記遊技領域を流下する遊技球の挙動を視認可能に構成されてなる弾球遊技機」が挙げられる。
【００２９】
Ｃ．上記各手段における前記遊技機、又は、上記各弾球遊技機は、パチンコ機又はパチンコ機に準ずる遊技機であること。
【００３０】
Ｄ．上記各手段における遊技機は、スロットマシン等の回胴式遊技機であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成した回胴式遊技機」が挙げられる。
【００３１】
Ｅ．上記各手段における遊技機は、スロットマシンとパチンコ機とを融合した形式の遊技機（特に遊技球を遊技媒体として使用するスロットマシン仕様の遊技機）であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成し、さらに球受皿（上皿等）を設けてその球受皿から遊技球を取り込む取込手段と、前記球受皿に遊技球の払出しを行う払出手段とを備え、前記取込手段により遊技球が取り込まれることにより遊技の開始条件が成立するように構成した遊技機」が挙げられる。
【００３２】
以下、パチンコ遊技機（以下、単に「パチンコ機」という）の一実施形態を、図面に基づいて詳細に説明する。ここで、図１はパチンコ機１０の正面図であり、図２は斜視図であり、図３は右側面図である。また、図４は、内枠１２及び前面枠セット１４を開放した状態を示す斜視図である。但し、図４では便宜上、遊技盤３０面上に配設される釘や役物、前面枠セット１４に取付けられるガラスユニット１３７などを省略して示している。
【００３３】
図１乃至図４に示すように、パチンコ機１０は、当該パチンコ機１０の外郭を構成する固定枠としての外枠１１を備えており、この外枠１１の一側部に遊技機本体（扉体）としての内枠１２が開閉可能に支持されている。外枠１１は、例えば木製の板材により全体として矩形状に構成され、小ネジ等の離脱可能な締結具により各板材が組み付けられている。
【００３４】
ここで、外枠１１について図５を参照しつつ説明する。外枠１１の左辺部には、上ヒンジ８１及び下ヒンジ８２が設けられている。当該上ヒンジ８１及び下ヒンジ８２にて、内枠１２の上下部が回動可能に支持されており、これにより内枠１２が開閉可能に支持される。また、外枠１１の右辺部には、後述する施錠装置６００の内枠鉤部６３７，６３８に対応して、上下一対の第１被係止部としての受け金具８３，８４が取付けられている。
【００３５】
さらに、外枠１１下部には、樹脂製の幕板飾り８５が取着されている。幕板飾り８５の上面奥部には、上方に突出するリブ８８が一体形成されている。これにより内枠１２との間に隙間が形成されにくくなっている。また、外枠１１の右辺部内側面には切欠き部８９が形成されている。この切欠き部８９は、内枠１２を閉状態とした際に、内枠１２の背面側に設けられた施錠装置６００等が外枠１２と接触するのを防止するためのものである。
【００３６】
内枠１２の開閉軸線は、上述したようにパチンコ機１０の正面からみて左側において上下に沿って設定されており、この開閉軸線を軸心として内枠１２が前方側に開放できるようになっている。内枠１２は、外形が矩形状をなす青色の樹脂ベース３８を主体に構成されており、当該樹脂ベース３８の中央部には略楕円形状の窓孔３９が形成されている。
【００３７】
また、内枠１２の前面側には、前扉体としての前面枠セット１４が開閉可能に取付けられている。前面枠セット１４は、内枠１２と同様に、パチンコ機１０の正面から見て左側において上下に沿って設定された開閉軸線を軸心として前方側に開放できるようになっている。
【００３８】
前面枠セット１４は、内枠１２と同様に外形が矩形状をなし、閉鎖状態においては内枠１２の前面側ほぼ全域を覆う。前面枠セット１４の中央部には略楕円形状の窓部１０１が形成されている。これにより、前面枠セット１４の窓部１０１及び内枠１２の窓孔３９を介して、内枠１２の後面に装着される遊技盤３０（遊技領域）を外部から視認可能となる。遊技盤３０の詳細な構成については後述する。
【００３９】
前面枠セット１４の前面側には、その下部中央において球受皿としての下皿１５が設けられており、排出口１６より排出された遊技球が下皿１５内に貯留可能になっている。また、下皿１５の手前側には、下皿１５内から遊技球を排出するための球抜きレバー２５が設けられている。
【００４０】
下皿１５の右方には、手前側に突出した遊技球発射ハンドル（以下、単にハンドルという）１８が設けられ、下皿１５の左方には、灰皿２６が設けられている。尚、ハンドル１８には、図示しないタッチセンサや、ハンドル１８の操作部の操作量を検出するための図示しない操作量検出手段が設けられている。
【００４１】
下皿１５の上方には上皿１９が設けられている。上皿１９は、遊技球を一旦貯留し、一列に整列させながら後述する遊技球発射装置（以下、単に発射装置という）７０の方へ案内する球受皿である。なお、上皿１９から溢れる遊技球は下皿１５へ案内されるようになっている。
【００４２】
上皿１９には球貸しボタン１２１と返却ボタン１２２とが設けられている。これにより、遊技場等において、パチンコ機１０の側方に配置されるカードユニット（球貸しユニット）に紙幣やカード等を投入した状態で球貸しボタン１２１が操作されると、その操作に応じて貸出球が上皿１９に供給される。一方、返却ボタン１２２は、カードユニットに挿入されたカード等の返却を求める際に操作される。但し、カードユニットを介さずに球貸し装置等から上皿１９に遊技球が直接貸し出されるパチンコ機、いわゆる現金機では球貸しボタン１２１及び返却ボタン１２２は不要である。
【００４３】
また、前面枠セット１４の前面にはその周囲に各種ランプ等の発光手段が設けられている。これら発光手段は、大当たり時や所定のリーチ時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が設けられ、該環状電飾部１０２の中央であってパチンコ機１０の最上部には、同じくＬＥＤ等の発光手段を内蔵した中央電飾部１０３が設けられている。本パチンコ機１０では、中央電飾部１０３が大当たりランプとして機能し、大当たり時に点灯や点滅を行うことにより、大当たり中であることを報知する。さらに、中央電飾部１０３の左右側方には、所定のエラー時に点灯するエラー表示ランプ１０４が設けられている。また、各エラー表示ランプ１０４に隣接してスピーカＳＰ（図９参照）が設けられるとともに、当該スピーカＳＰの前側にスピーカカバー２４が取着されている。
【００４４】
前面枠セット１４の背面側にはガラスユニット１３７が取付けられている。ガラスユニット１３７は、従来の前後一対の矩形状の板ガラスが前後対を為して別々に取着されるものではなく、全体として丸形をなし、アッセンブリ化された上で取付けられている。
【００４５】
次に、内枠１２（樹脂ベース３８）について説明する。上述した通り、内枠１２（樹脂ベース３８）には、窓孔３９の後側に遊技盤３０が装着されている。遊技盤３０は、その周縁部が内枠１２（樹脂ベース３８）の裏側に当接した状態で取着されている。従って、遊技盤３０の前面部の略中央部分が樹脂ベース３８の窓孔３９を通じて内枠１２の前面側に露出した状態となっている。
【００４６】
また、内枠１２（樹脂ベース３８）の下部、すなわち窓孔３９（遊技盤３０）の下方位置には、後側へ膨出した膨出部４０が形成されている。この膨出部４０の前面右側には、発射装置７０が取付けられている。本実施形態では、発射装置７０としてソレノイド式発射装置を採用している。また、膨出部４０には、後述する払出機構部３５２から上記下皿１５の排出口１６へ繋がる球通路７１が設けられている。また、発射装置７０の発射レール７０ａと後述するレール５０（外レール構成部５２）との間には所定間隔の隙間があり、この隙間より下方にファール球通路７２が形成されている。これにより、仮に、発射装置７０から発射された遊技球が後述する戻り球防止部材５３まで至らずファール球としてレール５０を逆戻りする場合には、そのファール球がファール球通路７２及び球通路７１を介して下皿１５に排出される。また、球通路７１の下側にはハーネスカバー７４が設けられている。これにより中継基板７５と発射装置７０とを接続するハーネス（図示略）をまとめている。
【００４７】
次に、遊技盤３０の構成について図６を参照して説明する。遊技盤３０には、一般入賞口３１、可変入賞装置３２、第１契機対応口（作動口）３３、第２契機対応口３４、可変表示装置ユニット３５等がルータ加工によって形成された貫通穴に配設され、遊技盤３０前面側から木ネジ等により取付けられている。周知の通り前記一般入賞口３１、可変入賞装置３２、第１契機対応口３３に遊技球が入球（入賞）すると、それぞれに対応して設けられた検出スイッチの出力により、上皿１９（または下皿１５）へ所定数の賞球が払い出される。その他に、遊技盤３０にはアウト口３６が設けられており、各種入賞部（一般入賞口３１、可変入賞装置３２、第１契機対応口３３）に入賞しなかった遊技球は、このアウト口３６を通って遊技領域外へと排出される。また、遊技盤３０には、遊技球の落下方向を適宜分散、調整等するために多数の釘が植設されているとともに、風車等の各種部材（役物）が配設されている。
【００４８】
可変表示装置ユニット３５には、第２契機対応口３４の通過をトリガとして変動表示する普通図柄表示装置４１と、第１契機対応口３３への入賞をトリガとして変動表示する特別表示装置４３と、特別表示装置４３による変動表示に合わせて変動表示する可変表示装置としての装飾図柄表示装置４２とが設けられている。
【００４９】
普通図柄表示装置４１は複数の発光手段（ＬＥＤ）を内蔵しており、遊技球が第２契機対応口３４を通過する毎に点灯表示態様が切換表示（変動表示）され、その変動表示が特定の点灯態様で数秒間停止した場合に第１契機対応口３３が所定時間だけ作動状態となる（開放される）よう構成されている。この普通図柄表示装置４１は、後述する主制御装置２６１によって直接的に表示内容が制御される。また、普通図柄表示装置４１の変動表示中に、新たに遊技球が第２契機対応口３４を通過した場合には、その分の普通図柄の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４４にて点灯表示されるようになっている。
【００５０】
特別表示装置４３は、普通図柄表示装置４１の側方に設けられた複数の発光部により構成され、遊技球が第１契機対応口３３を通過する毎に点灯する発光部の組合せが切換えられる（変動表示される）。そして、変動表示が停止したときに点灯している発光部の組合わせにより、大当たりか否かが確定的に表示される。この特別表示装置４３についても、主制御装置２６１によって表示内容が直接的に制御される。また、特別表示装置４３の変動表示中に新たに遊技球が第１契機対応口３３に入賞した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４６にて点灯表示されるようになっている。また、大当たり状態中に新たに遊技球が第１契機対応口３３に入賞した場合、その分の変動表示についても保留される。
【００５１】
装飾図柄表示装置４２は液晶表示装置として構成されており、後述するサブ制御装置２６２によって表示内容が制御される。すなわち、装飾図柄表示装置４２においては、特別表示装置４３にて表示される結果に対応させるように、主制御装置２６１からのコマンドに基づき、サブ制御装置２６２によって補助的な表示内容が決定され、後述する表示制御装置４５によって表示が行われる。装飾図柄表示装置４２には、例えば、上、中及び下の３つの図柄列が表示される。各図柄列は複数の図柄によって構成されており、これら図柄が図柄列毎にスクロールされるようにして装飾図柄表示装置４２に変動表示され、その後、上図柄列→下図柄列→中図柄列の順に停止表示される。また、可変表示装置ユニット３５には、装飾図柄表示装置４２を囲むようにしてセンターフレーム４７が配設されている。
【００５２】
可変入賞装置３２は、通常は遊技球が入賞できない又は入賞し難い閉状態になっており、大当たり（特別遊技状態の発生）の際に、遊技球が入賞しやすい開状態とされる。具体的には、所定時間の経過又は所定個数の入賞を１ラウンドとして、可変入賞装置３２の大入賞口が所定回数（所定ラウンド数）繰り返し開放される。
【００５３】
また、遊技盤３０には、発射装置７０から発射された遊技球を遊技盤３０上部へ案内するレール５０が取付けられている。これにより、ハンドル１８の回動操作に伴い発射された遊技球はレール５０を通じて、遊技盤面上に形成された遊技領域内に案内される。レール５０は内レール構成部５１と外レール構成部５２とからなる。
【００５４】
内レール構成部５１の先端部分（図６の左上部）には戻り球防止部材５３が取着されている。これにより、一旦、レール５０から遊技盤３０の上部へと案内された遊技球が再度レール５０内に戻ってしまうといった事態が防止される。
【００５５】
また、本実施形態では、外レール構成部５２が遊技盤３０の右上部で途絶え、内レール構成部５１が遊技盤３０の右下部で途絶えている。このため、遊技領域は、レール５０及び樹脂ベース３８の窓孔３９の内周面により画定される。但し、内外レール構成部５１，５２の並行部分を除く。
【００５６】
次に、パチンコ機１０の背面の構成を図８に基づいて説明する。パチンコ機１０にはその背面（実際には内枠１２及び遊技盤３０の背面）において、各種制御基板が上下左右に並べられるようにして、一部前後に重ねられるようにして配置されており、さらに、遊技球を供給する遊技球供給装置（払出機構）や樹脂製の保護カバー等が取り付けられている。本実施形態では、各種制御基板を２つの取付台に分けて搭載して２つの制御基板ユニットを構成し、それら制御基板ユニットを個別に内枠１２又は遊技盤３０の裏面に装着するようにしている。この場合において、主基板とサブ制御基板とを一方の取付台に搭載してユニット化すると共に、払出制御基板、発射制御基板及び電源基板を他方の取付台に搭載してユニット化している。ここでは便宜上、前者のユニットを「第１制御基板ユニット２０１」と称し、後者のユニットを「第２制御基板ユニット２０２」と称することとする。また、払出機構及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。
【００５７】
なお、第１制御基板ユニット２０１、第２制御基板ユニット２０２及び裏パックユニット２０３は、ユニット単位で工具等を用いずとも着脱できるよう構成されており、さらに、一部に支軸部を設けて内枠１２又は遊技盤３０の裏面に対して開閉できる構成となっている。
【００５８】
まず、遊技盤３０の背面構成について説明する。上述したように遊技盤３０の中央にはルータ加工によって形成された貫通穴に対して可変表示装置ユニット３５が配設されている。この可変表示装置ユニット３５に対し、センターフレーム４７を背後から覆う樹脂製のフレームカバー２１３が後方に突出して設けられている。さらに、フレームカバー２１３の後端に、液晶表示装置たる装飾図柄表示装置４２と表示制御装置４５とが前後に重ねられた状態で着脱可能に取り付けられている。フレームカバー２１３内には、センターフレーム４７に内蔵されたＬＥＤ等を駆動するＬＥＤ制御基板などが配設されている。
【００５９】
また、遊技盤３０の裏面には、可変表示装置ユニット３５を取り囲むようにして図示しない裏枠セットが取付けられている。この裏枠セットは、遊技盤３０の裏面に張り付くようにして設けられる薄型の樹脂成形品であって、各種入賞口に入賞した遊技球を回収するための球回収機構を備えている。また、内枠１２には、裏枠セット（遊技盤３０）の下方位置において排出通路盤２１７が取付けられており、該排出通路盤２１７には排出球をパチンコ機１０外部へ排出する排出シュート２１８が形成されている。従って、一般入賞口３１等に入賞した遊技球は何れも裏枠セットの球回収機構を介して集合し、さらに排出通路盤２１７の排出シュート２１８を介してパチンコ機１０外部に排出される。なお、アウト口３６も同様に排出シュート２１８に通じており、何れの入賞口にも入賞しなかった遊技球も排出シュート２１８を介してパチンコ機１０外部に排出される。
【００６０】
また、遊技盤３０の裏面には、各種入賞口などの遊技球の通過を検出する入賞感知機構（検出スイッチ）などが設けられている。入賞感知機構にて各々検出された検出結果は、後述する主基板（主制御装置２６１）に取り込まれ、該主基板よりその都度の入賞状況に応じた払出指令（遊技球の払出個数）が払出制御基板に送信される。そして、該払出制御基板の出力により所定数の遊技球の払出が実施される。本実施形態のパチンコ機１０では、各種入賞口毎に遊技球の入賞を電気的に感知して払出が直ちに行われる。
【００６１】
第１制御基板ユニット２０１は、主制御装置２６１と、サブ制御装置２６２とを具備している。主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主基板を具備しており、この主基板が透明樹脂材料等よりなる基板ボックス２６３に収容されて構成されている。なお、基板ボックス２６３は、略直方体形状のボックスベースと該ボックスベースの開口部を覆うボックスカバーとを備えている。これらボックスベースとボックスカバーとは封印ユニットによって連結されており、基板ボックス２６３が開封された場合には、封印ユニットにおいて所定の痕跡が残るよう構成されている。これにより、基板ボックス２６３が不正に開封された旨を容易に発見することができる。
【００６２】
また、サブ制御装置２６２は、主制御装置２６１（主基板）からの指示に従い各種演出制御を司るＣＰＵや、各種プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含むサブ制御基板を具備しており、このサブ制御基板についても当該サブ制御基板に対応する基板ボックスに収容されて構成されている。
【００６３】
第２制御基板ユニット２０２は、払出制御装置３１１、発射制御装置３１２、電源装置３１３及びカードユニット接続基板３１４を具備している。払出制御装置３１１、発射制御装置３１２及び電源装置３１３は周知の通り制御の中枢をなすＣＰＵや、その他ＲＯＭ、ＲＡＭ、各種ポート等を含む制御基板を具備しており、払出制御装置３１１の払出制御基板により、賞品球や貸出球の払出が制御される。また、発射制御装置３１２の発射制御基板により、遊技者によるハンドル１８の操作に従い発射装置等の制御が行われ、電源装置３１３の電源基板により、各種制御装置等で要する所定の電源電圧が生成され出力される。
【００６４】
上記払出制御装置３１１、発射制御装置３１２及び電源装置３１３についても、それぞれに対応する基板ボックス３１５、３１６、３１７に収容されて構成されている。但し、発射制御装置３１２（基板ボックス３１６）は、電源装置３１３（基板ボックス３１７）の裏側に配置されている。また、払出制御装置３１１が収容される基板ボックス３１５には、前述した主制御装置２６１と同様に封印ユニットが設けられ、基板ボックス３１５の開封した痕跡が残るようになっている。
【００６５】
払出制御装置３１１には状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られる。
【００６６】
また、電源装置３１３にはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰させることができる。従って、通常手順で（例えば遊技場の営業終了時に）電源遮断すると電源遮断前の状態が記憶保持されることから、電源投入時に初期状態に戻したい場合には、ＲＡＭ消去スイッチ３２３を押しながら電源を投入する。
【００６７】
次に、裏パックユニット２０３の構成を説明する。裏パックユニット２０３は、樹脂成形された裏パック３５１と遊技球の払出機構部３５２とを一体化したものであり、本実施形態における後扉体に相当する。
【００６８】
裏パック３５１は例えばＡＢＳ樹脂により一体成形されており、パチンコ機後方に突出し略直方体形状をなす保護カバー部３５４を有する。保護カバー部３５４は左右側面及び上面が閉鎖され且つ下面のみが開放された形状をなし、少なくとも可変表示装置ユニット３５を囲むのに十分な大きさを有する。但し、本実施形態では、前述のサブ制御装置２６２及び主制御装置２６１の一部も合わせて囲む構成となっている。
【００６９】
また、払出機構部３５２は、保護カバー部３５４を迂回するようにして配設されている。すなわち、保護カバー部３５４の上方には、上側に開口したタンク３５５が設けられており、このタンク３５５には遊技場の島設備から供給される遊技球が逐次補給される。タンク３５５の下方には、例えば横方向２列の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ３５８ａ等の所定の電気的構成により必要個数の遊技球の払出が適宜行われる。そして、払出装置３５８より払い出された遊技球は上記上皿１９等に供給される。
【００７０】
また、払出機構部３５２には、払出制御装置３１１から払出装置３５８への払出指令の信号を中継する払出中継基板３８１が設置されると共に、外部より主電源を取り込む電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦされる。
【００７１】
次に、パチンコ機１０の電気的構成について説明する。図９は、本パチンコ機１０の電気的構成を示すブロック図である。パチンコ機１０の主制御装置２６１（主基板）には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するメモリであるＲＡＭ５０３と、割込回路やタイマ回路、データ送受信回路などの各種回路等が内蔵されている。
【００７２】
ＲＡＭ５０３は、パチンコ機１０の電源のオフ後においても電源装置３１３からバックアップ電圧が供給されてデータが保持（バックアップ）できる構成となっており、ＲＡＭ５０３には、各種のデータ等を一時的に記憶するメモリやエリアの他に、バックアップエリア５０３ａが設けられている。
【００７３】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくエリアである。バックアップエリア５０３ａへの書き込みは、ＮＭＩ端子（ノンマスカブル端子）への停止信号の入力により起動されるＮＭＩ割込み処理（このＮＭＩ割込みにより、電源断時の主制御装置２６１の状態がＲＡＭ５０３のバックアップエリア５０３ａに記憶される）によって停電の発生等による電源切断時に実行され、逆にバックアップエリア５０３ａに書き込まれた各値の復帰は、電源入時（停電解消による電源入を含む。以下同様）の復電処理において実行される。なお、ＣＰＵ５０１のＮＭＩ端子（ノンマスカブル割込端子）には、停電等の発生による電源断時に、後述する停電監視回路５４２から出力される停電信号ＳＫ１が入力されるように構成されており、停電の発生により、停電処理（ＮＭＩ割込み処理）が即座に実行される。
【００７４】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、サブ制御装置２６２、特別表示装置４３、普通図柄表示装置４１、その他図示しないスイッチ等が接続されている。この構成により、上述した特別表示装置４３および普通図柄表示装置４１は、主制御装置２６１により直接的に制御される。一方、装飾図柄表示装置４２は、サブ制御装置２６２を介して制御される。
【００７５】
サブ制御装置２６２（サブ制御基板）は、演算装置であるＣＰＵ５５１、該ＣＰＵ５５１により実行される各種の制御プログラムや固定値データを記憶したＲＯＭ５５２、該ＲＯＭ５５２内に記憶される制御プログラムの実行に際して各種のデータ等を一時的に記憶するメモリであるＲＡＭ５５３、入出力ポート５５４、バスライン５５５を備えるとともに、その他にも図示しない割込回路やタイマ回路、データ送受信回路などの各種回路等を備えている。ＲＡＭ５５３は、ＣＰＵ５５１による各種プログラムの実行時に使用されるワークデータやフラグを一時的に記憶するメモリである。
【００７６】
入出力ポート５５４には、バスライン５５５を介してＣＰＵ５５１、ＲＯＭ５５２、ＲＡＭ５５３が接続されるとともに、表示制御装置４５が接続されている。さらに、入出力ポート５５４には、スピーカＳＰ、各種電飾部及びランプ１０２〜１０４が接続されている。
【００７７】
サブ制御装置２６２のＣＰＵ５５１は、例えば主制御装置２６１から送信される指令信号（例えば変動パターンコマンド）に基づいて表示制御装置４５に表示制御を実行させ、装飾図柄表示装置４２に表示させる。なお、上記のように、本実施形態では、主制御装置２６１が制御する特別表示装置４３にて大当たりか否かを表示するようになっており、サブ制御装置２６２が制御する装飾図柄表示装置４２では、前記特別表示装置４３の表示に合わせた表示が行われる。
【００７８】
また、払出制御装置３１１は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【００７９】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成となっており、ＲＡＭ５１３には、各種のデータ等を一時的に記憶するメモリやエリアの他に、バックアップエリア５１３ａが設けられている。
【００８０】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくエリアである。このバックアップエリア５１３ａへの書き込みは、ＮＭＩ割込み処理によって電源切断時に実行され、逆にバックアップエリア５１３ａに書き込まれた各値の復帰は、電源入時の復電処理において実行される。
【００８１】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２６１、発射制御装置３１２、払出モータ３５８ａなどがそれぞれ接続されている。
【００８２】
発射制御装置３１２は、発射装置７０による遊技球の発射を許可又は禁止するものであり、発射装置７０は、所定条件が整っている場合に駆動が許可される。具体的には、払出制御装置３１１から発射許可信号が出力されていること、遊技者がハンドル１８をタッチしていることをセンサ信号により検出していること、発射を停止させる発射停止スイッチが操作されていないことを条件に、発射装置７０が駆動され、ハンドル１８の操作量に応じた強度で遊技球が発射される。
【００８３】
表示制御装置４５は、サブ制御装置２６２からの指示に従い、装飾図柄表示装置４２における装飾図柄の変動表示を実行するものである。この表示制御装置４５は、ＣＰＵ５２１と、プログラムＲＯＭ５２２と、ワークＲＡＭ５２３と、ビデオＲＡＭ５２４と、キャラクタＲＯＭ５２５と、画像コントローラ５２６と、入力ポート５２７と、出力ポート５２９と、バスライン５３０，５３１とを備えている。入力ポート５２７にはサブ制御装置２６２の入出力ポート５５４が接続されている。また、入力ポート５２７には、ＣＰＵ５２１、プログラムＲＯＭ５２２、ワークＲＡＭ５２３、画像コントローラ５２６が接続されている。また、画像コントローラ５２６にはバスライン５３１を介して出力ポート５２９が接続されており、その出力ポート５２９には液晶表示装置たる装飾図柄表示装置４２が接続されている。
【００８４】
表示制御装置４５のＣＰＵ５２１は、サブ制御装置２６２から送信される表示コマンドに基づいて装飾図柄表示装置４２の表示を制御する。プログラムＲＯＭ５２２は、そのＣＰＵ５２１により実行される各種の制御プログラムや固定値データを記憶するメモリであり、ワークＲＡＭ５２３は、ＣＰＵ５２１による各種プログラムの実行時に使用されるワークデータやフラグを一時的に記憶するメモリである。
【００８５】
ビデオＲＡＭ５２４は、装飾図柄表示装置４２に表示される表示データを記憶するメモリであり、このビデオＲＡＭ５２４の内容を書き替えることにより、装飾図柄表示装置４２の表示内容が変更される。キャラクタＲＯＭ５２５は、装飾図柄表示装置４２に表示される図柄などのキャラクタデータを記憶するメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを所定のタイミングで読み出して装飾図柄表示装置４２に表示させるものである。
【００８６】
また、電源装置３１３は、パチンコ機１０の各部に電力を供給する電源部５４１と、停電等による電源遮断を監視する停電監視回路５４２と、ＲＡＭ消去スイッチ３２３に接続されてなるＲＡＭ消去スイッチ回路５４３とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動する＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【００８７】
停電監視回路５４２は、停電等の発生による電源断時に、主制御装置２６１のＣＰＵ５０１及び払出制御装置３１１のＣＰＵ５１１の各ＮＭＩ端子へ停電信号ＳＫ１を出力する回路である。停電監視回路５４２は、電源部５４１から出力される最大電圧である直流安定２４ボルトの電圧を監視し、この電圧が２２ボルト未満になった場合に停電（電源断）の発生と判断して、停電信号ＳＫ１を主制御装置２６１及び払出制御装置３１１へ出力する。この停電信号ＳＫ１の出力によって、主制御装置２６１及び払出制御装置３１１は、停電の発生を認識し、停電時処理（ＮＭＩ割込み処理）を実行する。
【００８８】
なお、電源部５４１は、直流安定２４ボルトの電圧が２２ボルト未満になった後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【００８９】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアする回路である。ＲＡＭ消去スイッチ３２３が押下された際、ＲＡＭ消去スイッチ回路５４３は、ＲＡＭ消去信号ＳＫ２を主制御装置２６１及び払出制御装置３１１に出力する。ＲＡＭ消去スイッチ３２３が押下された状態でパチンコ機１０の電源が投入されると（停電解消による電源入を含む）、主制御装置２６１及び払出制御装置３１１においてそれぞれのＲＡＭ５０３，５１３のデータがクリアされる。
【００９０】
次に、内枠１２の施錠機構、前面枠セット１４の施錠機構、及び裏パックユニット２０３の施錠機構について図１０乃至図１５を参照して説明する。本実施形態では、内枠１２は外枠１１に対し施錠され、前面枠セット１４及び裏パックユニット２０３は内枠１２に対し施錠される。これらの施錠機構は単一の施錠装置６００によって具現化されている。後述するように施錠装置６００は、前面枠セット１４の前面側に露出するシリンダ錠７００（図１等参照）を備えており、該シリンダ錠７００の鍵穴７０２に鍵Ｋを挿入し、一方に回動操作することで内枠１２を解錠でき、他方に回動操作することで前面枠セット１４及び裏パックユニット２０３を解錠できるようになっている。ここで、図１０は、施錠装置６００の背面図であり、図１１は右側面図、図１２は左側面図、図１３は正面図である。また、図１４は、背面側から見た施錠装置６００の分解図であり、図１５は、側面側から見た施錠装置６００の分解図である。
【００９１】
施錠装置６００は、内枠１２の背面側左側辺部（図７左側）に沿って取付けられている。施錠装置６００の外郭を構成する縦長の基枠６０１は、内枠１２の背面部に固定される取付部としての取付板６０２と、当該取付板６０２の内枠１２内方側（窓孔３９側）の端縁から後方に突出した支持部としての支持板６０３と、取付板６０２の内枠１２外方側の端縁から後方に突出したフランジ部６０４とを備えており、これらが一体となって横断面略コ字状をなしている。なお、施錠装置６００を構成する基枠６０１などの各部材は、金属平板をプレス成形等することにより形成されている。
【００９２】
また、取付板６０２では、シリンダ錠７００の配置位置に対応する所定の上下区間が他部位より左右方向に幅広の幅広部６０２ａとなっており、支持板６０３では、前記幅広部６０２ａに対応する上下区間が内枠１２内方側へ膨出した膨出部６０３ａとなっている。これは、遊技領域や各種制御基板等の設置スペースをより広く確保するために、施錠装置６００全体の横幅を極力狭くしつつ、シリンダ錠７００の配設位置においては、その設置スペースを確保するためである。
【００９３】
ここで、先ず前面枠セット１４の施錠機構及び裏パックユニット２０３の施錠機構に係る部分について説明する。基枠６０１の内側には、前記両施錠機構の主要構成部となる第１摺動杆６０５が上下方向に摺動可能なように配設されている。
【００９４】
第１摺動杆６０５は、取付板６０２に略当接状態で摺動する取付側壁部６０６と、支持板６０３に略当接状態で摺動する支持側壁部６０７とからなる横断面Ｌ字状の本体部６０８を備えている。第１摺動杆６０５は本実施形態における第２施錠部材に相当し、支持側壁部６０７は第２摺動部に相当する。
【００９５】
取付側壁部６０６は、シリンダ錠７００の取付けの妨げにならないように、シリンダ錠７００の配置位置に対応する所定の上下区間（上記取付板６０２の幅広部６０２ａに対応する所定の上下区間）が切り欠かれた状態となっている。
【００９６】
これに合わせて、支持板６０３の膨出部６０３ａに対応する支持側壁部６０７の所定の上下区間には、内枠１２内方側へ膨出した膨出部６０７ａが形成されている。但し、支持側壁部６０７の膨出部６０７ａの形成区間は、支持板６０３の膨出部６０３ａの形成区間よりも短く設定されており、第１摺動杆６０５の摺動の妨げとならないようになっている。
【００９７】
さて、第１摺動杆６０５には、その上部、中部及び下部の３箇所に、前面枠セット１４施錠用の前面枠セット鉤部６１０，６１１，６１２が設けられている。前面枠セット鉤部６１０，６１１，６１２は、本実施形態における第２鉤部に相当する。
【００９８】
前面枠セット鉤部６１０，６１１，６１２は、取付側壁部６０６の内枠１２外方側の端縁部から前方に向け延出した軸部６１０ａ，６１１ａ，６１２ａと、当該軸部６１０ａ，６１１ａ，６１２ａの前端側において前方へ先細りするように設けられた略三角形状の頭部６１０ｂ，６１１ｂ，６１２ｂとから構成されている。頭部６１０ｂ，６１１ｂ，６１２ｂの上端部は、軸部６１０ａ，６１１ａ，６１２ａより上方に突出しており、当該突出部分が係止部（係止爪）として機能する。従って、前面枠セット鉤部６１０，６１１，６１２は、自身の上側において後述する前面枠セット１４の受け金具１７に係止されることとなる。受け金具１７が本実施形態における第２被係止部に相当する。
【００９９】
また、取付側壁部６０６には、各前面枠セット鉤部６１０，６１１，６１２よりもやや上方位置において、上下方向に長い長円状のガイド孔６１３，６１４，６１５が形成されている。これらガイド孔６１３，６１４，６１５を介して、基枠６０１内側から取付板６０２に対しガイドピン６１６，６１７，６１８が固定されている。
【０１００】
さらに、第１摺動杆６０５には、支持側壁部６０７の後端縁部の上下２箇所において、裏パックユニット２０３施錠用の裏パック鉤部６２１，６２２が設けられている。裏パック鉤部６２１，６２２が本実施形態における第３鉤部（又は第２鉤部）に相当する。
【０１０１】
両裏パック鉤部６２１，６２２のうち上側の裏パック鉤部６２１は、上部の前面枠セット鉤部６１０と中部の前面枠セット鉤部６１１の間の高さ位置に設けられている。一方、下側の裏パック鉤部６２２は、中部の前面枠セット鉤部６１１と下部の前面枠セット鉤部６１２との間の高さ位置で、支持側壁部６０７の膨出部６０７ａ（シリンダ錠７００の配置位置）よりやや上方位置に設けられている。
【０１０２】
各裏パック鉤部６２１，６２２についてより詳しく説明すると、裏パック鉤部６２１，６２２は、支持側壁部６０７の後端縁部から後方へ延出した基部６２１ａ，６２２ａと、当該基部６２１ａ，６２２ａからさらに後方へ延出した軸部６２１ｂ，６２２ｂと、当該軸部６２１ｂ，６２２ｂの後端側において後方へ先細りするように設けられた略三角形状の頭部６２１ｃ，６２２ｃとから構成されている。頭部６２１ｃ，６２２ｃの上端部は、軸部６２１ｂ，６２２ｂより上方に突出しており、当該突出部分が係止部（係止爪）として機能する。従って、裏パック鉤部６２１，６２２は、自身の上側において後述する裏パックユニット２０３の受け金具２０４に係止されることとなる。受け金具２０４が本実施形態における第３被係止部（又は第２被係止部）に相当する。
【０１０３】
裏パック鉤部６２１，６２２に対応して、支持板６０３の後端縁部には、後方へ延出した延出部６２５，６２６が形成されている。延出部６２５，６２６は、裏パック鉤部６２１，６２２の基部６２１ａ，６２２ａの摺動範囲ほぼ全域において、当該基部６２１ａ，６２２ａと重畳するように形成されており、基部６２１ａ，６２２ａと常時略当接状態で当該基部６２１ａ，６２２ａを支持している。なお、上側の裏パック鉤部６２１の基部６２１ａ及び支持板６０３の延出部６２５は、下側の裏パック鉤部６２２の基部６２２ａ及び支持板６０３の延出部６２６に比べて、上下方向の形成区間がより長めに設定されており、その下端部は、裏パック鉤部６２１の軸部６２１ｂ及び頭部６２１ｃの高さ位置より、かなり下方に位置している。これは、後述するように、上側の裏パック鉤部６２１の基部６２１ａの下部にコイルばねＣ１を掛けるためである。
【０１０４】
また、延出部６２５，６２６には、各裏パック鉤部６２１，６２２より上方位置において、第１摺動杆６０５の後方への動きを規制する規制突起６２９，６３０が設けられている。規制突起６２９，６３０は、第１摺動杆６０５の取付状態の安定性を高める機能とともに、第１摺動杆６０５の摺動動作の安定性を高めるガイド部としての機能を備えている。従って、第１摺動杆６０５は、取付板６０２や規制突起６２９，６３０により前後方向への動きを規制され、かつ、上記ガイドピン６１６，６１７，６１８や後述する第２摺動杆６３５により左右方向への動きを規制されつつ、上下方向へ摺動できるようになっている。
【０１０５】
さて、取付板６０２には、前面枠セット鉤部６１０，６１１，６１２に対応して、上下方向３箇所に矩形状の挿入孔６３１，６３２，６３３が形成されている。また、これら挿入孔６３１，６３２，６３３に対応する内枠１２の部位には、連通孔９７，９８，９９が形成されている（図６参照）。そして、これら挿入孔６３１，６３２，６３３及び連通孔９７，９８，９９を介して、前面枠セット鉤部６１０，６１１，６１２が内枠１２の前面側に突出している。これに対し、前面枠セット１４には、その背面側左側辺部（図４参照）に沿って被係止部としての長尺状の受け金具１７が取付けられている。受け金具１７には、前面枠セット鉤部６１０，６１１，６１２に対応して、上下方向３箇所に矩形状の係止孔１７ａ，１７ｂ，１７ｃが設けられている。
【０１０６】
上記構成により、前面枠セット１４の施錠状態においては、前面枠セット鉤部６１０，６１１，６１２が前面枠セット１４の受け金具１７の係止孔１７ａ，１７ｂ，１７ｃを介して、受け金具１７の前面側にて係止され、前面枠セット１４の開放が規制される。
【０１０７】
一方、裏パックユニット２０３には、その前面側右側辺（図４参照）に沿って、被係止部としての長尺状の受け金具２０４が取付けられている。受け金具２０４には、裏パック鉤部６２１，６２２に対応して、上下２箇所に矩形状の係止孔２０４ａ，２０４ｂが形成されている。
【０１０８】
上記構成により、裏パックユニット２０３の施錠状態においては、裏パック鉤部６２１，６２２が、裏パックユニット２０３の受け金具２０４の係止孔２０４ａ，２０４ｂを介して、受け金具２０４の背面側にて係止され、裏パックユニット２０３の開放が規制される。
【０１０９】
なお、第１摺動杆６０５の摺動範囲のうち、ガイド孔６１３，６１４，６１５の下縁部がガイドピン６１６，６１７，６１８に当接する位置が、前面枠セット鉤部６１０，６１１，６１２及び裏パック鉤部６２１，６２２がそれぞれ対応する被係止部（受け金具１７及び受け金具２０４）に係止される位置となる。つまり、この位置が、第１摺動杆６０５の係止位置（基準位置）に相当する。これに対し、ガイド孔６１３，６１４，６１５の上縁部がガイドピン６１６，６１７，６１８に当接する位置が、前面枠セット鉤部６１０，６１１，６１２及び裏パック鉤部６２１，６２２が各被係止部（受け金具１７及び受け金具２０４）から離脱する位置となる。つまり、この位置が、第１摺動杆６０５の非係止位置に相当する。
【０１１０】
次に、内枠１２の施錠機構に係る部分について説明する。基枠６０１の内側には、前記施錠機構の主要構成部となる第２摺動杆６３５が上下方向に摺動可能なように配設されている。
【０１１１】
第２摺動杆６３５は、第１摺動杆６０５の支持側壁部６０７に重畳するように配設された長尺状の本体部６３６と、内枠１２施錠用の上下一対の内枠鉤部６３７，６３８とを備えている。第２摺動杆６３５は本実施形態における第１施錠部材に相当し、本体部６３６は第１摺動部に相当し、内枠鉤部６３７，６３８は第１鉤部に相当する。
【０１１２】
支持板６０３の膨出部６０３ａ（支持側壁部６０７の膨出部６０７ａ）に対応する本体部６３６の所定の上下区間には、同様に内枠１２内方側へ膨出した膨出部６３６ａが形成されている。但し、本体部６３６の膨出部６３６ａの形成区間は、支持側壁部６０７の膨出部６０７ａの形成区間よりも短く設定されており、第２摺動杆６３５の摺動の妨げとならないようになっている。
【０１１３】
両内枠鉤部６３７，６３８のうち上側の内枠鉤部６３７は、上側の前面枠セット鉤部６１０のやや下方位置でかつ上側の裏パック鉤部６２１より上方位置に設けられている。一方、下側の内枠鉤部６３８は、下側の前面枠セット鉤部６１２のやや下方位置でかつ本体部６３６の下端部において設けられている。
【０１１４】
内枠鉤部６３７，６３８は、本体部６３６の後端縁部より後方へ延出した基部６３７ａ，６３８ａと、当該基部６３７ａ，６３８ａの後端側において後方へ先細りするように設けられた略三角形状の頭部６３７ｂ，６３８ｂとから構成されている。頭部６３７ｂ，６３８ｂの下端部は、基部６３７ａ，６３８ａより下方に突出しており、当該突出部分が後述するように係止部（係止爪）として機能する。従って、内枠鉤部６３７，６３８は、自身の下側において上記外枠１１の受け金具８３，８４に係止されることとなる。
【０１１５】
内枠鉤部６３７，６３８に対応して、支持板６０３の後端縁部には、後方へ延出した延出部６４１，６４２が形成されている。延出部６４１，６４２は、内枠鉤部６３７，６３８の基部６３７ａ，６３８ａの摺動範囲ほぼ全域において、当該基部６３７ａ，６３８ａと重畳するように形成されており、基部６３７ａ，６３８ａと常時略当接状態で当該基部６３７ａ，６３８ａを支持している。なお、延出部６４１，６４２は、内枠鉤部６３７，６３８の基部６３７ａ，６３８ａと略当接状態となるように、上記第１摺動杆６０５の厚み分を考慮し、その付根部において支持板６０３と段差をもって形成されている。
【０１１６】
内枠鉤部６３７，６３８の基部６３７ａ，６３８ａには、上下方向に長い長円状のガイド孔６４３，６４４が形成されている。これらガイド孔６４３，６４４を介して、基枠６０１内側（内枠１２外方側）から延出部６４１，６４２に対しガイドピン６４５，６４６が固定されている。
【０１１７】
また、第１摺動杆６０５の取付側壁部６０６には、上下方向３箇所において、第２摺動杆６３５の内枠１２外方側への動きを規制する規制突起６４７，６４８，６４９が設けられている。規制突起６４７，６４８，６４９は、第２摺動杆６３５は取付状態の安定性を高める機能とともに、第２摺動杆６３５の摺動動作の安定性を高めるガイド部としての機能を備えている。従って、第２摺動杆６３５は、第１摺動杆６０５の支持側壁部６０７や規制突起６４７，６４８，６４９により左右方向への動きを規制され、かつ、第１摺動杆６０５の取付側壁部６０６や支持板６０３の後端縁部に設けられたフランジ部６５１，６５２により前後方向への動きを規制されつつ、上下方向へ摺動できるようになっている。
【０１１８】
なお、第２摺動杆６３５の摺動範囲のうち、ガイド孔６４３，６４４の上縁部がガイドピン６４５，６４６に当接する位置が、内枠鉤部６３７，６３８が受け金具８３，８４に係止される位置となる。つまり、この位置が、第２摺動杆６３５の係止位置（基準位置）に相当する。これに対し、ガイド孔６４３，６４４の下縁部がガイドピン６４５，６４６に当接する位置が、内枠鉤部６３７，６３８が受け金具８３，８４から離脱した位置となる。つまり、この位置が、第２摺動杆６３５の非係止位置に相当する。
【０１１９】
上記構成により、内枠１２の施錠状態においては、外枠１１の内側に固定された受け金具８３，８４に対して内枠鉤部６３７，６３８が係止され、内枠１２の開放が規制される。
【０１２０】
さて、第１摺動杆６０５及び第２摺動杆６３５は、付勢手段としてのコイルばねＣ１により、それぞれ上方又は下方へ付勢されている。より詳しくは、第２摺動杆６３５における本体部６３６の後端縁部には、第１摺動杆６０５における上側の裏パック鉤部６２１の基部６２１ａ及び支持板６０３の延出部６２５の形成位置に対応して、後方に向け延出した延出部６５０が形成されている。そして、この延出部６５０に設けられたフック部６５３にコイルばねＣ１の一端が掛けられるとともに、他端が第１摺動杆６０５（裏パック鉤部６２１の基部６２１ａ）に設けられたフック部６５４に掛けられている。
【０１２１】
上記コイルばねＣ１の引張力によって、通常時には、第１摺動杆６０５は、ガイド孔６１３，６１４，６１５の下縁部がガイドピン６１６，６１７，６１８に付勢される位置、つまり基準位置において下方への動作が抑えられた状態で保持されている。一方、第２摺動杆６３５は、ガイド孔６４３，６４４の上縁部がガイドピン６４５，６４６に付勢される位置、つまり基準位置において上方への動作が抑えられた状態で保持されている。そして、後述するシリンダ錠７００が操作された場合には、コイルばねＣ１の引張力に抗して、第１摺動杆６０５が下方へ、又は第２摺動杆６３５が上方へ摺動変位する。
【０１２２】
さて、取付板６０２の幅広部６０２ａには、錠部材としてのシリンダ錠７００が取付けられている。図１６に示すように、シリンダ錠７００は、略筒状をなすシリンダ本体７０１と、シリンダ本体７０１内部に設けられ、内部に鍵穴７０２を有してなる錠軸７０３と、シリンダ本体７０１の外周に設けられた外筒７０４とを備えている。
【０１２３】
シリンダ錠７００は、取付板６０２の取付孔６０２ｂに対しシリンダ本体７０１を挿通した状態で、フランジ部７０５を取付板６０２の背面側にネジ止めすることにより固定されている。
【０１２４】
シリンダ本体７０１には、該シリンダ本体７０１の内外を連通する上下８つずつ、合計１６個の透孔７０６が形成されている。これに対応して、錠軸７０３にも、各透孔７０６と連通する１６個の透孔７０８が形成されている。かかる透孔７０８の鍵穴７０２側は、後述するピン７１４等の収容部材が鍵穴７０２内に脱落しないように他の部位よりも小径に形成されている。
【０１２５】
各透孔７０６内には、それぞれバネ７０９が収容されている。バネ７０９の一端は前記外筒７０４に当接し、他端には台座７１１が連結されている。また、各透孔７０８内には、前記台座７１１に支持されるようにして、複数のスペーサ７１２，７１３及びピン７１４が収容されている。そして、これらピン７１４、スペーサ７１２，７１３、台座７１１は、バネ７０９の伸縮によって各透孔７０６，７０８内を上下動可能となっている。このうち、ピン７１４は、前記透孔７０８の鍵穴７０２側の小径部を介して鍵穴７０２内に出没可能となっている。
【０１２６】
上記構成により、鍵穴７０２内への鍵Ｋの挿入時には、当該鍵Ｋの上下両側の凹凸形状に沿って各ピン７１４等が上下動する。そして、鍵Ｋの挿入完了状態にあっては、図１７に示すように各ピン７１４がそれぞれ鍵Ｋの溝に入り込んだ状態となり、ピン７１４の基端面、又は、スペーサ７１２若しくは７１３の一方の端面と、錠軸７０３の外周面とが面一になる。これにより、鍵Ｋの挿入完了状態にあっては、鍵Ｋの回動操作に伴って錠軸７０３が回動可能となる。つまり、このシリンダ錠７００は、少なくとも鍵穴７０２に鍵Ｋを挿し込まない限り錠軸７０３を回動させることができない内部構造となっている。
【０１２７】
また、錠軸７０３の後端部には、鍵穴７０２に挿入された鍵Ｋの回動動作を第１摺動杆６０５又は第２摺動杆６３５に伝達する係合部材としてのカム板７２０が固定されている。
【０１２８】
カム板７２０は、図１８に示すように上下一対の上係合爪７２０ａ及び下係合爪７２０ｂを備えている。これらの係合爪７２０ａ，７２０ｂは、カム板７２０の回動方向に所定間隔を置いて形成されている。上係合爪７２０ａは本実施形態における第２係合片に相当し、下係合爪７２０ｂは第１係合片に相当する。
【０１２９】
これに合わせて、第１摺動杆６０５の膨出部６０７ａには、係合爪７２０ａ，７２０ｂが係合可能な上下一対の上係合孔７２５及び下係合孔７２６が形成されている。同様に、第２摺動杆６３５の膨出部６３６ａには、係合爪７２０ａ，７２０ｂが係合可能な上下一対の上係合孔７２７及び下係合孔７２８が形成されている。また、支持板６０３には、係合爪７２０ａ，７２０ｂの動作を妨げないように透孔７３０が形成されている。
【０１３０】
第１摺動杆６０５の係合孔７２５，７２６及び第２摺動杆６３５の係合孔７２７，７２８は、第１摺動杆６０５及び第２摺動杆６３５の重畳状態にあっては、少なくとも上係合孔７２５，７２７同士、及び、下係合孔７２６，７２８同士が連通状態となっている（図１８参照）。第１摺動杆６０５及び第２摺動杆６３５の上係合孔７２５，７２７が本実施形態における第２係合孔部に相当し、下係合孔７２６，７２８が第１係合孔部に相当する。
【０１３１】
また、第１摺動杆６０５側では、両係合孔７２５，７２６のうち上係合孔７２５よりも下係合孔７２６の方が、上下方向の形成区間が長めに設定されている。これに対し、第２摺動杆６３５側では、両係合孔７２７，７２８のうち下係合孔７２８よりも上係合孔７２７の方が、上下方向の形成区間が長めに設定されている。これは、後述するように第１摺動杆６０５又は第２摺動杆６３５の一方をカム板７２０が摺動させる際に、他方に上係合爪７２０ａ又は下係合爪７２０ｂを接触させないようにして、他方を摺動させないようにするためである。
【０１３２】
上記構成のもと、図１８（ａ）に示すように、シリンダ錠７００の鍵穴７０２に鍵Ｋが挿し込まれていない状態で、錠軸７０３及びカム板７２０が基準位置にある場合には、上係合爪７２０ａの先端が、第１摺動杆６０５及び第２摺動杆６３５の上係合孔７２５，７２７に挿通状態となるとともに、下係合爪７２０ｂの先端が、第１摺動杆６０５及び第２摺動杆６３５の下係合孔７２６，７２８に挿通状態となる。また、上述したように、本実施形態のシリンダ錠７００は、鍵穴７０２に鍵Ｋの挿入がない場合には錠軸７０３及びカム板７２０を回動させることができない状態（ロック状態）となるため、カム板７２０が基準位置にある場合には、係合爪７２０ａ，７２０ｂにより第１摺動杆６０５及び第２摺動杆６３５の摺動が規制されることとなる。例えば、仮に鍵Ｋを用いずに、基準位置にある第１摺動杆６０５に対し線材等を不正に引っ掛けて、当該第１摺動杆６０５に対し解錠方向への外力がかけられた場合には、係合爪７２０ａ，７２０ｂが第１摺動杆６０５の係合孔７２５，７２６の縁部に引っ掛かり、第１摺動杆６０５の解錠方向への摺動変位が、係合孔７２５等の遊び長を除き実質的に規制される。
【０１３３】
次に、施錠装置６００の作用について詳しく説明する。先ず前面枠セット１４の施錠及び解錠について詳しく説明する。前面枠セット１４の施錠状態においては、第１摺動杆６０５が基準位置（係止位置）をとることにより、前面枠セット鉤部６１０，６１１，６１２が前面枠セット１４の受け金具１７の係止孔１７ａ，１７ｂ，１７ｃを介して、受け金具１７の前面側にて係止され、前面枠セット１４の開放が規制されている。
【０１３４】
そして、前面枠セット１４を解錠する際には、シリンダ錠７００の鍵穴７０２に鍵Ｋを挿入し、パチンコ機１０の正面側（図１参照）から見て反時計回り方向に回動させる。これにより、カム板７２０が同方向に回動して、上係合爪７２０ａが第１摺動杆６０５の上係合孔７２５の下縁部に接触する〔図１８（ｂ）参照〕。但し、図１８（ｂ）は、パチンコ機１０の背面側から見た図であるため、カム板７２０の回動方向は時計回り方向となっている。
【０１３５】
その後、さらにカム板７２０を回動させていくに従って、上係合爪７２０ａがコイルばねＣ１の引張力に抗して第１摺動杆６０５を下方へ押し下げていく。同時に、下係合爪７２０ｂは第１摺動杆６０５及び第２摺動杆６３５に作用を及ぼすことなく、両下係合孔７２６，７２８から離脱する。この際、上係合爪７２０ａが挿通された第２摺動杆６３５の上係合孔７２７の下部には、上係合爪７２０ａが下方へ変位するスペースが確保されているため、第１摺動杆６０５を押し下げていく過程において、上係合爪７２０ａが第２摺動杆６３５に当接せず、その動作が妨げられないようになっている。
【０１３６】
第１摺動杆６０５が下方へ摺動すると、すべての前面枠セット鉤部６１０，６１１，６１２と、受け金具１７との係合が解除され、前面枠セット１４の開放が許容される。また、前面枠セット１４が開放された時点で、鍵Ｋを操作する手の力を緩めると、コイルばねＣ１の引張力により、第１摺動杆６０５は上方へ引き上げられ、基準位置に復帰する。これに伴い、カム板７２０及び錠軸７０３も基準位置に復帰する。
【０１３７】
次に内枠１２の施錠及び解錠について詳しく説明する。内枠１２の施錠状態においては、第２摺動杆６３５が基準位置（係止位置）をとることにより、内枠鉤部６３７，６３８が外枠１１の受け金具８３，８４に係止され、内枠１２の開放が規制されている。
【０１３８】
そして、内枠１２を解錠する際には、シリンダ錠７００の鍵穴７０２に鍵Ｋを挿入し、パチンコ機１０の正面側から見て時計回り方向に回動させる。これにより、カム板７２０が同方向に回動して、下係合爪７２０ｂが第２摺動杆６３５の下係合孔７２８の上縁部に接触する〔図１８（ｃ）参照〕。但し、図１８（ｃ）は、パチンコ機１０の背面側から見た図であるため、カム板７２０の回動方向は反時計回り方向となっている。
【０１３９】
その後、さらにカム板７２０を回動させていくに従って、下係合爪７２０ｂがコイルばねＣ１の引張力に抗して第２摺動杆６３５を上方へ押し上げていく。同時に、上係合爪７２０ａは第１摺動杆６０５及び第２摺動杆６３５に作用を及ぼすことなく、両上係合孔７２５，７２７から離脱する。この際、下係合爪７２０ｂが挿通された第１摺動杆６０５の下係合孔７２６の上部には、下係合爪７２０ｂが上方へ変位するスペースが確保されているため、第２摺動杆６３５を押し上げていく過程において、下係合爪７２０ｂが第１摺動杆６０５に当接せず、その動作が妨げられないようになっている。
【０１４０】
第２摺動杆６３５が上方へ摺動すると、内枠鉤部６３７，６３８と、受け金具８３，８４との係合が解除され、内枠１２の開放が許容される。また、内枠１２が開放された時点で、鍵Ｋを操作する手の力を緩めると、コイルばねＣ１の引張力により、第２摺動杆６３５は下方へ引き上げられ、基準位置に復帰する。これに伴い、カム板７２０及び錠軸７０３も基準位置に復帰する。
【０１４１】
次に裏パックユニット２０３の施錠及び解錠について詳しく説明する。裏パックユニット２０３の施錠状態においては、前面枠セット１４の場合と同様に、第１摺動杆６０５が基準位置（係止位置）をとることにより、裏パック鉤部６２１，６２２が裏パックユニット２０３の受け金具２０４の係止孔２０４ａ，２０４ｂを介して、受け金具２０４の背面側にて係止され、裏パックユニット２０３の開放が規制されている。
【０１４２】
そして、裏パックユニット２０３を解錠する際には、内枠１２を開放させた後、前面枠セット１４の場合と同様にシリンダ錠７００の鍵穴７０２に挿入した鍵Ｋをパチンコ機１０の正面側から見て反時計回り方向に回動させる。これにより、カム板７２０が同方向に回動して、上係合爪７２０ａが第１摺動杆６０５の上係合孔７２５の下縁部に接触する。その後、さらにカム板７２０を回動させていくに従って、上係合爪７２０ａがコイルばねＣ１の引張力に抗して第１摺動杆６０５を下方へ押し下げていくと、裏パック鉤部６２１，６２２と受け金具２０４との係合が解除され、裏パックユニット２０３の開放が許容される。
【０１４３】
上述したように、本実施形態では、シリンダ錠７００の鍵穴７０２に鍵Ｋが挿入されていない場合には、第１摺動杆６０５及び第２摺動杆６３５の摺動が規制されるため、開状態にある内枠１２、前面枠セット１４又は裏パックユニット２０３を施錠する際には、鍵Ｋを用いなければ施錠を行うことができない。このため、例えば鍵Ｋを用いずに開状態にある内枠１２を閉じた場合には、内枠鉤部６３７，６３８の頭部６３７ｂ，６３８ｂの傾斜部位が受け金具８３，８４とぶつかって第２摺動杆６３５に上方向への外力が加わっても、第２摺動杆６３５は上方へ摺動せず、内枠１２を閉状態とすることはできない。従って、開状態にある内枠１２を施錠する際には、鍵Ｋを用いてシリンダ錠７００を操作し、受け金具８３，８４によって妨げられない位置、すなわち内枠鉤部６３７，６３８の解錠位置まで第２摺動杆６３５を摺動変位させた状態で、内枠１２を閉じていき、頭部６３７ｂ，６３８ｂが受け金具８３，８４を越えて内枠１２が完全に閉じた状態とした上で、第２摺動杆６３５を係止位置へ戻すといった方法がとられる。この他、シリンダ錠７００の鍵穴７０２に鍵Ｋを挿入した状態のまま、当該鍵Ｋを操作することなく、内枠１２を閉じていく方法も可能である。この場合、内枠１２を閉じていき、内枠鉤部６３７，６３８の頭部６３７ｂ，６３８ｂの傾斜部位が受け金具８３，８４にぶつかると、第２摺動杆６３５に上方向への外力が加わり、第２摺動杆６３５がコイルばねＣ１の引張力に抗して上方へ摺動する。そして、内枠鉤部６３７，６３８の頭部６３７ｂ，６３８ｂが受け金具８３，８４を乗り越えると、第２摺動杆６３５がコイルばねＣ１の引張力により元の位置に戻る。これにより、内枠鉤部６３７，６３８が受け金具８３，８４に係止される。もちろん、前面枠セット１４や裏パックユニット２０３の施錠に関しても同様の施錠方法で行われる。
【０１４４】
以上詳述したように、本実施形態では、内枠１２の施錠機構、前面枠セット１４の施錠機構、及び裏パックユニット２０３の施錠機構を１つの施錠装置６００に一体化しているため、部品点数の増加を抑制するとともに、メンテナンス時等における作業性の向上などの利便性の向上を図ることができる。
【０１４５】
また、内枠鉤部６３７，６３８等の各鉤部が第１摺動杆６０５及び第２摺動杆６３５に一体形成されるとともに、シリンダ錠７００の鍵穴７０２に鍵Ｋが挿入されていない状態では、第１摺動杆６０５及び第２摺動杆６３５の摺動が規制される構成となっている。このため、例えば、鍵Ｋを用いずに線材等によって第１摺動杆６０５又は第２摺動杆６３５に対し直接の解錠操作、すなわち不正な解錠操作が行われた場合でも、第１摺動杆６０５又は第２摺動杆６３５は係止位置に維持されるため、内枠１２等の開放は許容されない。結果として、線材等を用いた不正解錠に対する防御性能の向上が図られる。
【０１４６】
さらに、内枠１２の背面側において主制御装置２６１等の制御機器を覆うように裏パックユニット２０３が配置されるとともに、当該裏パックユニット２０３が内枠１２に対し施錠される構成となっている。このため、仮に内枠１２を不正に開放された場合でも、上記裏パックユニット２０３により主制御装置２６１等の制御機器に対する不正行為を行うことは困難となる。結果として、線材等を用いた不正解錠に対する防御性能をさらに高めることができる。
【０１４７】
なお、仮に１つの摺動杆を共用しつつ、内枠１２の解錠と、前面枠セット１４及び裏パックユニット２０３の解錠とを別々に行う構成とするためには、摺動杆に対して鉤部材を相対変位可能に係合する構成を採用せざるを得ない。この場合、鉤部材を摺動杆に対して相対変位可能としつつも、鍵を用いない線材等による不正な解錠操作（鉤部材に対する直接の解錠操作）によっては、鉤部材が非係止位置へ動かないようにするといった複雑な構成が必要とされる。これに対し、本実施形態では、２つの第１摺動杆６０５及び第２摺動杆６３５を利用して、内枠１２の解錠と、前面枠セット１４及び裏パックユニット２０３の解錠とを別々に行う構成としているため、内枠鉤部６３７，６３８等の各鉤部を第１摺動杆６０５及び第２摺動杆６３５に対し相対変位不能に設けることができ、上述したような複雑な構成を採用しなくとも、比較的簡単な構成で上記不正行為を防止することができる。さらに、本実施形態では、第１摺動杆６０５及び第２摺動杆６３５を重畳配置することにより、２つの摺動杆を利用しつつも、施錠装置の構成を簡素化し、よりコンパクトにすることができる。
【０１４８】
なお、上述した実施形態の記載内容に限定されず、例えば次のように実施してもよい。
【０１４９】
（ａ）上記実施形態では、内枠１２の施錠機構、前面枠セット１４の施錠機構、及び裏パックユニット２０３の施錠機構が単一の施錠装置６００によって具現化されている。しかしながら、施錠装置６００の構成は上記実施形態に限定されるものではない。例えば前面枠セット１４が内枠１２と一体形成された構成等においては、当該前面枠セット１４の施錠機構を省略し、内枠１２の施錠機構及び裏パックユニット２０３の施錠機構からなる施錠装置を採用してもよい。
【０１５０】
また、内枠１２の施錠機構となる施錠装置と、前面枠セット１４の施錠機構となる施錠装置と、裏パックユニット２０３の施錠機構となる施錠装置とを別々に設けた構成としてもよい。この場合、例えば内枠１２の施錠機構となる施錠装置を外枠１１側に備える構成としてもよい。また、このような施錠装置において、摺動杆が１つの場合には、シリンダ錠のカム板に設けられる係合爪の数、及び当該係合爪が係合される摺動杆の係合孔の数は１つでよい。
【０１５１】
（ｂ）上記実施形態では、内枠１２の施錠機構、前面枠セット１４の施錠機構、及び裏パックユニット２０３の施錠機構のすべての施錠機構に関し、内枠鉤部６３７，６３８等の各鉤部が第１摺動杆６０５及び第２摺動杆６３５に一体形成されるとともに、シリンダ錠７００の鍵穴７０２に鍵Ｋが挿入されていない状態では、第１摺動杆６０５及び第２摺動杆６３５の摺動が規制される不正防御構成を採用している。これに限らず、少なくとも１つの施錠機構に関して前記不正防御構成を採用した構成としてもよい。
【０１５２】
（ｃ）第１摺動杆６０５及び第２摺動杆６３５の摺動方向が逆であってもよい。つまり、上記実施形態では、例えば第２摺動杆６３５が上方へ摺動することにより、内枠鉤部６３７，６３８が受け金具８３，８４から離脱する構成となっているが、第２摺動杆６３５が下方へ摺動することにより、内枠鉤部６３７，６３８が受け金具８３，８４から離脱する構成を採用してもよい。
【０１５３】
（ｄ）上記実施形態では、シリンダ錠７００の鍵穴７０２に鍵Ｋを挿入し、時計回り方向に回動操作することで内枠１２が解錠され、反時計回りに回動操作することで前面枠セット１４及び裏パックユニット２０３が解錠される構成となっている。これに限らず、三者の解錠操作が異なる構成としてもよい。例えば、シリンダ錠７００とは異なるシリンダ錠を採用するとともに、第３の摺動杆を備えることにより、時計回り方向に回動操作することで内枠１２が解錠され、反時計回りに回動操作することで前面枠セット１４が解錠され、錠軸を奥側へスライドさせた状態で時計回り方向若しくは反時計回り方向に回動操作することで裏パックユニット２０３が解錠される構成としてもよい。
【０１５４】
（ｅ）少なくとも外枠１１に対し内枠１２を施錠した状態においては、当該内枠１２に対し施錠された裏パックユニット２０３の施錠状態を解錠不能となり、内枠１２を開放した状態においては、裏パックユニット２０３の施錠状態を解錠可能となる構成としてもよい。このようにすれば、線材等を用いた不正解錠に対する防御性能をさらに高めることができる。
【０１５５】
（ｆ）内枠鉤部６３７，６３８等の各鉤部の構成は上記実施形態に限定されるものではない。例えば、上記実施形態では、内枠鉤部６３７，６３８等の各鉤部が第１摺動杆６０５及び第２摺動杆６３５に一体形成されているが、これに限らず、内枠鉤部６３７，６３８等を構成する鉤部材がネジ等の固定手段により第１摺動杆６０５及び第２摺動杆６３５に対し相対変位不能に固定された構成としてもよい。
【０１５６】
また、上記実施形態では、先端に向け先細りした略三角形状の頭部を有した鉤部を採用しているが、これに限らず、例えば頭部の先端が上下方向に沿って略直線状に形成された鉤部を採用してもよい。上記実施形態では、シリンダ錠７００への鍵Ｋの非挿入状態において、第１摺動杆６０５及び第２摺動杆６３５の摺動変位がカム板７２０により規制される構成を採用しているため、仮に鍵Ｋを用いずに開状態にある内枠１２等を無理に閉じてしまうと、第１摺動杆６０５や第２摺動杆６３５に解錠方向への力がかかり、カム板７２０が破損してしまうおそれがある。これに対し、前記構成を採用すれば、仮に鍵Ｋを用いずに開状態にある内枠１２等を閉じた際に、内枠鉤部６３７，６３８等の鉤部の頭部先端が受け金具８３，８４等の被係止部に接触した場合でも、第１摺動杆６０５や第２摺動杆６３５には解錠方向への力がかからないため、上記不具合は生じない。
【０１５７】
また、内枠鉤部６３７，６３８等の各鉤部及びこれに対応する受け金具８３，８４等の各被係止部の数は、上記実施形態の数に限定されるものではなく、例えば１つであってもよい。
【０１５８】
（ｇ）シリンダ錠７００と異なるシリンダ錠を採用してもよい。例えば、キーコードを変更可能なシリンダ錠を採用してもよい。キーコードの変更手順の一例としては、まず、所定のリセットピンを押圧した状態で鍵穴に現状の鍵を挿入して回動操作した後、該鍵を引き抜く。そして、リセットピンを押圧したまま、新たに設定したい鍵を鍵穴に挿入し、前記現状の鍵とは逆向きに回動操作した後、リセットピンの押圧状態を解除してから鍵を引き抜く。以上のような操作を行うことで、新たに設定したい鍵に合ったキーコードとすることができる。これにより、遊技ホール単位で鍵を統一できるとともに、不正防止のため、定期的に鍵を変更することができる。
【０１５９】
（ｉ）上記実施形態とは異なるタイプのパチンコ機として実施してもよい。また、パチンコ機以外にも、アレンジボール機、それに類する雀球等の各種遊技機、スロットマシン等の回胴式遊技機、スロットマシンとパチンコ機とを融合した形式の遊技機などとして実施してもよい。
【符号の説明】
【０１６０】
１０…パチンコ機、１１…外枠、１２…内枠、１４…前面枠セット、１７…受け金具、８３，８４…受け金具、２０３…裏パックユニット、２０４…受け金具、６００…施錠装置、６０５…第１摺動杆、６１０，６１１，６１２…前面枠セット鉤部、６２１，６２２…裏パック鉤部、６３５…第２摺動杆、６３７，６３８…内枠鉤部、７００…シリンダ錠、７２０…カム板、７２０ａ，７２０ｂ…係合爪、７２５，７２６，７２７，７２８…係合孔、Ｃ１…コイルばね、Ｋ…鍵。
【図１】
0005472281.tif 000002
【図２】
0005472281.tif 000003
【図３】
0005472281.tif 000004
【図４】
0005472281.tif 000005
【図５】
0005472281.tif 000006
【図６】
0005472281.tif 000007
【図７】
0005472281.tif 000008
【図８】
0005472281.tif 000009
【図９】
0005472281.tif 000010
【図１０】
0005472281.tif 000011
【図１１】
0005472281.tif 000012
【図１２】
0005472281.tif 000013
【図１３】
0005472281.tif 000014
【図１４】
0005472281.tif 000015
【図１５】
0005472281.tif 000016
【図１６】
0005472281.tif 000017
【図１７】
0005472281.tif 000018
【図１８】
0005472281.tif 000019